(57)【要約】【課題】名刺などのカードを確実に収納できるとともに、その挿脱が容易であり、かつ、見栄えも良いカード入れを提供する。【解決手段】袋部１２と蓋部１４とを備え、名刺１００等のカードを袋部１２に収納する。袋部１２を上衣の胸ポケットに差し込んだ状態で胸ポケットの上から蓋部１４を折りたたむことで、マグネット１６，１８が吸着して封止する。また、蓋部１４は露出してフラップポケットのように見える。【選択図】図１
0003175364.tif 000002
【実用新案登録請求の範囲】
【請求項１】
カードを収納する袋部と、
前記袋部の開口部に設けられた蓋部と、
前記袋部に設けられた第１のマグネットと、
前記蓋部に設けられ、前記蓋部を前記袋部の方に折りたたんで前記開口部を封止する際に前記第１のマグネットに対向する位置に設けられた第２のマグネットと、
を備え、前記袋部を上衣の胸ポケットに差し込んだ状態で前記蓋部を前記胸ポケットを挟むように折りたたむと前記胸ポケットを介して前記第１のマグネットと前記第２のマグネットが吸着することを特徴とするカード入れ。
【考案の詳細な説明】
【技術分野】
【０００１】
本考案は、名刺等のカード入れに関する。
【背景技術】
【０００２】
従来から、種々のカード入れが提案されている。
【０００３】
例えば、特許文献１には、ミシン目により２枚の布地を縫製して袋部を形成し、袋部の挿脱口に対して名刺を挿入し、ポケットハンカチを二つ折り状態で上衣のポケットに差し込んで使用するポケットハンカチが開示されている。
【先行技術文献】
【特許文献】
【０００４】
【特許文献１】実開平６−７６３０２号公報
【考案の概要】
【考案が解決しようとする課題】
【０００５】
しかしながら、胸ポケット部分における装飾としても機能しつつ、名刺等のカードをその状態から容易に挿脱できるとともに、上体をかがめた際にも名刺等がこぼれ落ちることがないように確実に収納できるカード入れは未だに提案されていない。
【０００６】
本考案の目的は、名刺などのカードを確実に収納できるとともに、その挿脱が容易であり、かつ、見栄えも良いカード入れを提供することにある。
【課題を解決するための手段】
【０００７】
本考案は、カードを収納する袋部と、前記袋部の開口部に設けられた蓋部と、前記袋部に設けられた第１のマグネットと、前記蓋部に設けられ、前記蓋部を前記袋部の方に折りたたんで前記開口部を封止する際に前記第１のマグネットに対向する位置に設けられた第２のマグネットとを備え、前記袋部を上衣の胸ポケットに差し込んだ状態で前記蓋部を前記胸ポケットを挟むように折りたたむと前記胸ポケットを介して前記第１のマグネットと前記第２のマグネットが吸着することを特徴とする。
【考案の効果】
【０００８】
本考案によれば、名刺などのカードを確実に収納できるとともに、その挿脱が容易である。また、蓋部が胸ポケットから露出してフラップポケット（蓋付きのポケット）のように見える。従って、蓋部を見栄えのよいものとすることで、単なる名刺入れが胸ポケットから飛び出しているのではなく、胸ポケット部分を装飾して全体として見栄えの良いものとできる。
【図面の簡単な説明】
【０００９】
【図１】実施形態におけるカード入れの平面図である。
【図２】実施形態におけるカード入れの封止状態の平面図である。
【図３】実施形態における胸ポケットへの挿入状態の説明図である。
【考案を実施するための形態】
【００１０】
以下、図面に基づき本考案の実施形態について、カード入れとして名刺入れを例にとり説明する。
【００１１】
図１に、本実施形態における名刺入れの平面図を示す。名刺入れ１０は、下部にいくほど幅狭となる台形形状の袋部１２と、この袋部１２の上部に設けられた蓋部１４から構成される。
【００１２】
袋部１２内には、名刺１００が袋部１２の上部に形成された開口部から収納される。袋部１２、特にその外表面には、第１のマグネット１６が形成される。
【００１３】
蓋部１４は、袋部１２の開口部に形成されており、この袋部１４を図中矢印のように袋部１２の方に折りたたむことで開口部が閉じられる。また、蓋部１４の内表面であって、袋部１２の第１のマグネット１６に対向する位置に第２のマグネット１８が形成される。従って、蓋部１４を折りたたむと、蓋部１４の内表面の第２のマグネット１８が袋部１２の第１のマグネット１６に対向し、第１のマグネット１６と第２のマグネット１８との間に磁気吸引力が作用する。
【００１４】
従って、名刺入れを把持した状態で蓋部１４を折りたたむことで、第１のマグネット１６と第２のマグネット１８との間の磁気吸引力により蓋部１４は袋部１２に磁気的に吸着され、中の名刺１００を確実に収納することができる。また、第１のマグネット１６と第２のマグネット１８との間の磁気吸引力が適当な値となるように磁力を調整することで、蓋部１４を袋部１２から容易に離すことができ、蓋部１４を開いて中の名刺１００を袋部１２から取り出すこともできる。
【００１５】
一方、名刺入れ１０を上衣の胸ポケットに差し込む場合、蓋部１４を開いた状態で胸ポケットに差し込む。そして、袋部１２を胸ポケットに差し込んだ後、胸ポケットの布地の上から蓋部１４を折りたたむ。すなわち、袋部１２の第１のマグネット１６と、蓋部１４の第２のマグネット１８は、胸ポケットの布地を介して、胸ポケットの布地を挟むように磁気吸引力により吸着される。
【００１６】
図２に、名刺１００を袋部１２に収納し、蓋部１４を折りたたんだ状態を示す。名刺１００を収納した袋部１２は上衣の胸ポケット１５０内に差し込まれる。そして、蓋部１４を胸ポケット１５０の上から、胸ポケット１５０を挟むように袋部１２の方に折りたたむ。これにより、第１のマグネット１６と第２のマグネット１８は、胸ポケット１５０の布地を介して対向し、胸ポケット１５０の布地を介して吸着される。袋部１２は胸ポケット内に差し込まれているから、蓋部１４のみが胸ポケット１５０からはみ出して見えるようになる。従って、蓋部１４の形状を特定形状とすることで、蓋部１４を胸ポケット１５０のフラップポケットのように見せることができる。
【００１７】
なお、蓋部１４は磁気的吸引力により胸ポケット１５０の布地を介して袋部１２に吸着しているから、たとえユーザが上体をかがめても蓋部１４が不用意に開いて中の名刺１００が滑り落ちることはない。また、上記のように、磁気的吸引力を調整することで、蓋部１４を容易に開けることができ、中の名刺１００を容易に取り出すこともできる。
【００１８】
図３に、本実施形態の名刺入れを上衣の胸ポケット１５０に差し込んだ状態を示す。蓋部１４のみが胸ポケット１５０から露出しておしゃれなフラップポケットのように見えるため、違和感がないとともに蓋部１４の色や柄を工夫することでドレスアップ効果も期待できる。
【００１９】
以上のように、本実施形態では、袋部１２を台形形状としているので、上衣の胸ポケット１５０が小さい場合にも、幅狭となった先端部から差し込むことが可能であり、汎用性が高い。また、胸ポケット１５０を介して袋部１２と蓋部１４を磁気的に吸着するので、中の名刺１００を確実に収納できるとともに、中の名刺１００を必要に応じて容易に取り出すことができる。さらに、蓋部１４が胸ポケット１５０から見える構成であるため、名刺入れを胸ポケット１５０に差し込んでも違和感がなく、むしろフラップポケットのように見せてドレスアップを図ることもできる。
【００２０】
なお、本実施形態において、第１のマグネット１６及び第２のマグネット１８はそれぞれ１個ずつとしているが、いずれかあるいは両方とも複数個のマグネットとしてもよい。
【符号の説明】
【００２１】
１０  名刺入れ、１２  袋部、１４  蓋部、１６  第１マグネット、１８  第２マグネット、１００  名刺、１５０  胸ポケット。
【図１】
0003175364.tif 000003
【図２】
0003175364.tif 000004
【図３】
0003175364.tif 000005